(57)【特許請求の範囲】
【請求項１】
マッサージ機の動作を制御する為のスイッチを備えた操作器において、前記マッサージ機の機能を選択する為のダイヤルと、前記マッサージ機の動作を選択するための動作ボタンとを備え、各々を切替操作可能に構成したマッサージ機のダイヤル式操作器であって、
選択されたマッサージメニューを視覚的に表示させることができる表示装置をさらに備え、
前記動作ボタンが押されることにより人体各部の動作を選択する人体模式図が前記表示装置に表示され、
前記人体模式図が前記表示装置に表示されている状態で前記ダイヤルを回転させることにより、前記人体模式図の各部に選択バーが重なり合うとともに、前記選択バーを重ね合わせた状態で前記動作ボタンが押されることにより、前記選択バーが重なり合った前記人体模式図の位置に対応する人体の位置で動作を行なうように構成されている、マッサージ機のダイヤル式操作器。
【請求項２】
前記表示装置は液晶パネルであることを特徴とする請求項１記載のマッサージ機のダイヤル式操作器。
【発明の詳細な説明】
【０００１】
【産業上の利用分野】
本発明は、マッサージ機の選択されたメニューを表示できる表示装置付操作器に関するものである。
【０００２】
【従来の技術】
従来、マッサージ機の操作器は、操作器のケース上面に各々配設される複数の操作ボタンを使用者が任意に選択して操作を行なっていた。例えば、特開２００１−９５８７８号のように押しボタンとスライド式ボタンとダイヤル式ボタンとを組み合わせた操作器もあるが、操作性の面では異なる形式のボタンを複数設けているために却って操作の面では扱いにくかった。
【０００３】
また、操作器の表示装置上に人体の模式図を表示させることができる液晶パネル付操作器もあるが、表示画面が大きくて見易い反面、大型液晶パネルを操作器本体に設けている為に操作器全体が大きくなり、持ち運びが不自由で逆に操作性の面では扱いにくいものとなっている。
【０００４】
【発明が解決しようとする課題】
本発明は、上記のような操作器の問題点に鑑みて、従来のように操作器のケース上面に各々配設される複数の操作ボタンを減らすことにより、操作性の向上を図ることができるマッサージ機の操作器を提供することを課題とする。
【０００５】
【課題を解決するための手段】
本発明のダイヤル式操作器は、上記目的を達成すべく以下のように構成するものである。
【０００６】
すなわち、請求項１の本発明は、マッサージ機の動作を制御する為のスイッチを備えた操作器において、マッサージ機の動作を選択するための動作ボタンと、マッサージ機の機能を選択する為のダイヤルとを備え、各々を切替操作可能に構成したマッサージ機のダイヤル式操作器であって、選択されたマッサージメニューを視覚的に表示させることができる表示装置をさらに備え、動作ボタンが押されることにより人体各部の動作を選択する人体模式図が表示装置に表示され、人体模式図が表示装置に表示されている状態でダイヤルを回転させることにより、人体模式図の各部に選択バーが重なり合うとともに、選択バーを重ね合わせた状態で動作ボタンが押されることにより、選択バーが重なり合った人体模式図の位置に対応する人体の位置で動作を行なうように構成されていることを特徴とするものである。
【０００７】
また、請求項２の本発明は、表示装置は液晶パネルであることを特徴とする。
【０００８】
【作用】
本発明のマッサージ機のダイヤル式操作器は、以上のように構成することにより次のような作用をもたらすものである。
【０００９】
すなわち、請求項１の本発明は、マッサージ機の動作を選択するための動作ボタンと、マッサージ機の機能を選択するダイヤルとを交互に切り替えて操作する為、複数のスイッチを操作器に設けることがなく、２種類のスイッチを切り替えることにより多機能のマッサージ動作の操作を実現することができる。
【００１０】
また、請求項１の本発明は、選択されたマッサージメニューを視覚的に表示させることができる表示装置を操作器に設けている為、使用者は操作器の表示装置の画面をみながら所望のマッサージ動作を確認しながら操作することができる。
【００１１】
更に、請求項２の本発明は、操作器に設けられた表示装置が液晶パネルである為、操作器の上に設ける場合に奥行きを必要とせず、操作器に容易に取り付けることができる。
【００１２】
【実施例】
以下本発明のダイヤル式操作器を図面に示す椅子型マッサージ機に適用した実施例に基づき、これを詳細に説明する。
【００１３】
図１は、本発明のダイヤル式操作器の一実施例を示す斜視図であり、図２は本発明のダイヤル式操作器の側面に設けられた機能選択をするダイヤルを示す説明図である。
【００１４】
また、図３は本発明のダイヤル式操作器の使用状態を示す説明図であり、図４は本発明のダイヤル式操作器の使用状態を示す説明図である。
【００１５】
すなわち本発明の操作器Ｓは、図１に示すようにコードＣを介してマッサージ機（図示せず）に接続されており、操作器Ｓ下部には操作器の電源の切替えを行なう電源スイッチ５を設け、操作器Ｓの側面にはマッサージ機の機能を選択するダイヤル１が配設され、操作器Ｓ中央に前記ダイヤル１で選択されたマッサージ動作の切替えを行なう動作ボタン４と、前記動作ボタン４の切替えにより実行されたマッサージ機の動作を調整する為の動作調整ボタン２，３とが並び、操作器Ｓ上部には選択されたマッサージメニューを視覚的に表示させることができる表示装置Ｈが設けられている。
【００１６】
図２に示すように、マッサージ機（図示せず）の機能を選択するダイヤル１は操作器Ｓ側面に設けられており、ダイヤル１を回転することによって各種マッサージ機能を選択できるようにされている為に、使用者が片手で操作器Ｓを持った場合でも容易に操作できるようにダイヤル１が操作器Ｓ側面の中央部に配設されている。
【００１７】
図３及び図４を用いて本発明の操作器Ｓの操作の一実施例を説明すると、電源ボタン５を押すと液晶パネルの表示装置ＨにマッサージコースＭ１の全メニューが表示される。このマッサージコースＭ１には「もみ・たたきコース」、「エアーコース」、「複合コース」の３コースが設定されている。
【００１８】
また上記操作器の電源ボタン５を押すと上記マッサージコースＭ１の表示と同時に、前記マッサージコースＭ１を選択する為の液晶パネルの色よりも濃い選択バー（図示せず）が表示されて、ダイヤル１の回転に同調して表示装置Ｈの画面を上下に移動する。
【００１９】
次に使用者が前記選択バー（図示せず）を表示装置Ｈに表示された所望のコース上に重ね合わせて動作ボタン４を押すと、重ね合わせたコースが選択される。例えば「エアーコース」を選択する場合には、「エアーコース」の文字の上に選択バー（図示せず）を重ね合わせて動作ボタン４を押すと、「エアーコース」が選択されて、次に「自動コース」と「手動コース」の２つのコースを選択するメニューが表示装置Ｈに表示される。
【００２０】
「手動コース」を選択する場合には、表示装置Ｈに表示されている「手動コース」の文字の上に前記選択バー（図示せず）を重ね合わせて動作ボタン４を押すと「手動コース」が選択されて、図４に示すような人体各部のエアー動作を選択する人体模式図Ｍ２が表示装置Ｈに表示される。
【００２１】
次にこの人体模式図Ｍ２が表示装置Ｈに表示されている状態でダイヤル１を下に回し続けると、人体模式図も頭部から脚部へと表示装置Ｈの画面上を上から下へと順に移動されるが、選択バー（図示せず）は表示装置Ｈの中央に固定された状態になるので、所望のエアー動作を選択する場合には、ダイヤル１を回転させて人体模式図Ｍ２の各部「背中」、「腰」、「臀部」、「もも」、「ふくらはぎ」に選択バー（図示せず）が重なり合うようにする。
【００２２】
人体模式図Ｍ２の腰の部分に選択バー（図示せず）を重ね合わせて動作ボタン４を押すと、腰にエアー動作を行なうように選択される。次に表示装置Ｈにはエアーの強弱設定を行なうメニューが表示され、使用者が「強」を選ぶ場合には、動作調整ボタン２を押し続けると「強」のエアーマッサージが腰部に選択される。
【００２３】
その他上記以外の各機能も上記の例のようにマッサージ機の機能を選択する為のダイヤルとマッサージ機の動作を選択するための動作ボタンとを交互に切替えて操作することで、マッサージ動作を実施することができる。
【００２４】
以上のように図１及び図２の実施例で示すように構成された請求項１の本発明では、マッサージ機の機能を選択する為のダイヤルとマッサージ機の動作を選択するための動作ボタンとを交互に切り替えて操作する為、複数のスイッチを操作器に設けることがなく、２種類のスイッチを切り替えることにより多機能のマッサージ動作の操作を実現することができる。
【００２５】
また、図３及び図４の実施例で示すように請求項２の本発明は、選択されたマッサージメニューを視覚的に表示させることができる表示装置を操作器に設けている為、使用者は操作器の表示装置の画面をみながら所望のマッサージ動作を確認しながら操作することができる。
【００２６】
更に、図３及び図４の実施例で示すように請求項３の本発明は、操作器に設けられた表示装置が液晶パネルである為、操作器の上に設ける場合には奥行きを必要とせず、操作器に容易に取り付けることができる。
【００２７】
【発明の効果】
請求項１の本発明によれば、マッサージ機の動作を選択するための動作ボタンと、マッサージ機の機能を選択するダイヤルとを交互に切り替えて操作する為、複数のスイッチを操作器に設けることがなく、使用者は２種類のスイッチを切り替えることにより多機能のマッサージ動作の操作を容易に実現することができる。
【００２８】
また、請求項１の本発明によれば、選択されたマッサージメニューを視覚的に表示させることができる表示装置を操作器に設けている為、使用者は操作器の表示装置の画面をみながら所望のマッサージ動作を確認しながら操作することができる。
【００２９】
更に、請求項２の本発明によれば、操作器に設けられた表示装置が液晶パネルである為、操作器の上に設ける場合には奥行きを必要とせず、操作器に容易に取り付けることができる。
【００３０】
よって本発明は、多機能のマッサージ動作を２種類のスイッチを切り替えることにより多機能のマッサージ動作の操作を実現することができるものである。
【図面の簡単な説明】
【図１】本発明のダイヤル式操作器の一実施例を示す斜視図である。
【図２】    本発明のダイヤル式操作器の側面に設けられた機能選択をするダイヤルを示す説明図である。
【図３】    本発明のダイヤル式操作器の使用状態を示す説明図である。
【図４】    本発明のダイヤル式操作器の使用状態を示す説明図である。
【符号の説明】
Ｓ      操作器
Ｃ      コード
Ｈ      表示装置
Ｍ１    マッサージコース
Ｍ２    人体模式図
１      ダイヤル
２      動作調整ボタン
３      動作調整ボタン
４      動作ボタン
５      電源ボタン
【図１】
0004864237.tif 000002
【図２】
0004864237.tif 000003
【図３】
0004864237.tif 000004
【図４】
0004864237.tif 000005